(57)【要約】      （修正有）【課題】取付対象物への取付が便利で良好な隠蔽性を有する赤外監視カメラを提供する。【解決手段】赤外監視カメラはカメラ本体を備える。カメラ本体は、監視エリア内の赤外線放射を検知するためのフレネルレンズ１０１１を有する第一感知モジュール、監視エリア内の画像を取り込むためのレンズ１０２１を有する撮影モジュール、及び、撮影モジュールを制御して第一感知モジュールのトリガ信号に応じて画像が記録されるようにする第一処理モジュールを備えている。カメラ本体は生物体を模倣する外形を有し、細長挿入部１０５をさらに含みその一端は尖り、他端はカメラ本体と固定接続されている。細長挿入部を取付対象物に挿入することにより、カメラ本体を木の幹又は木の枝といった取付対象物に固定することができる。【選択図】図１
0003195356.tif 000002
【実用新案登録請求の範囲】
【請求項１】
カメラ本体を備えた赤外監視カメラであって、前記カメラ本体は、第一感知モジュール(１０１)、撮影モジュール(１０２)及び第一処理モジュール(１０４)を備え、
前記第一感知モジュール(１０１)は、監視エリア内の赤外線放射を検知するために用いられ、赤外線放射に誘導されて第一トリガ信号を生成し、
前記撮影モジュール(１０２)は、前記監視エリア内の画像を取り込むために用いられ、
前記第一処理モジュール(１０４)は、前記第一感知モジュール及び前記撮影モジュールと接続され、前記第一トリガ信号を取得するように、及び、前記撮影モジュールを制御して前記第一トリガ信号に応じて画像が取り込まれるように構成されており、
一端が尖り、他端が前記カメラ本体と固定接続された細長挿入部(１０５)をさらに備えていることを特徴とする赤外監視カメラ。
【請求項２】
前記細長挿入部(１０５) の表面にネジ山（１０５１）を有する、または、前記細長挿入部の表面に長手方向に沿った尖ったリブを有することを特徴とする請求項１に記載の赤外監視カメラ。
【請求項３】
前記カメラ本体は偽装ハウジング(１０６)をさらに備え、前記偽装ハウジングは生物体または生物体の部分を模倣する外形を有し、前記撮影モジュール(１０２)のレンズ(１０２１)と前記第一感知モジュール(１０１)のレンズ(１０１１)とが前記偽装ハウジングの表面に嵌め込まれていることを特徴とする請求項１に記載の赤外監視カメラ。
【請求項４】
前記カメラ本体は、前記第一処理モジュール(１０４)と接続された照明モジュール(１０３)をさらに備え、
前記照明モジュールは、赤外ＬＥＤライト、ガスフラッシュライト、または赤外ＬＥＤライトとガスフラッシュライトとの組み合わせであり、
前記第一処理モジュールは、前記撮影モジュール(１０２)が動作する際に前記照明モジュールを制御して発光させるようにさらに構成されていることを特徴とする請求項１に記載の赤外監視カメラ。
【請求項５】
前記カメラ本体は、前記第一処理モジュール(１０４)とそれぞれ接続されたマイク(１０７)及びスピーカー(１０８)をさらに備え、
前記第一処理モジュールは、前記撮影モジュール(１０２)が動作する際に前記マイクを制御して録音が行われるように、及び、前記スピーカーを制御してオーディオが再生されるようにさらに構成されていることを特徴とする請求項１に記載の赤外監視カメラ。
【請求項６】
前記カメラ本体は、前記第一処理モジュール(１０４)とそれぞれ接続されたディスプレイ(１０９)及び操作ボタン(１１０)をさらに備え、
前記ディスプレイは制御インターフェースを表示するために用いられ、前記操作ボタンはコマンド入力に用いられることを特徴とする請求項１に記載の赤外監視カメラ。
【請求項７】
前記カメラ本体は、第一通信モジュール(１１１)及びアンテナ(１１２)をさらに備え、前記アンテナは前記第一通信モジュール（１１１）と接続され、前記第一通信モジュールは前記第一処理モジュールと接続され、
前記第一処理モジュールは、前記第一通信モジュールを制御することによって、前記第一通信モジュールが前記アンテナを介して外部装置と通信を行うように構成されていることを特徴とする請求項１〜５のいずれか１項に記載の赤外監視カメラ。
【請求項８】
前記赤外監視カメラは少なくとも一つのサテライトセンサ(３００)をさらに備え、前記サテライトセンサは第二感知モジュール(３０１)、第二通信モジュール(３０２)及び第二処理モジュール(３０３)を備え、
前記第二感知モジュール(３０１)は、拡張エリア内の赤外線放射を検知するために用いられ、赤外線放射に誘導されて第二トリガ信号を生成し、
前記第二処理モジュール(３０３)は、前記第二感知モジュール及び前記第二通信モジュールと接続され、前記第二トリガ信号を取得するように、及び、前記第二通信モジュールを制御して前記第二トリガ信号に応じてトリガ情報が送信されるように構成されており、
前記第一処理モジュール(１０４)は、前記第一通信モジュールを介して前記トリガ情報を受信するように、及び、前記撮影モジュールを起動させて画像の取り込みができる状態とするように構成されていることを特徴とする請求項７に記載の赤外監視カメラ。
【請求項９】
前記赤外監視カメラは、リモコン(２００)をさらに備え、前記リモコンは、ディスプレイ（２０１）、操作ボタン（２０２）、第三通信モジュール（２０３）及び第三処理モジュール（２０４）を備え、
前記ディスプレイ（２０１）は、制御インターフェースを表示するためのものであり、前記操作ボタン（２０２）はコマンドを入力するためのものであり、
前記第三処理モジュール（２０４）は、前記ディスプレイ、前記操作ボタン及び前記第三通信モジュールと接続され、前記ディスプレイの表示を制御するように、及び、前記第三通信モジュールと前記第一通信モジュールとの通信を介して、前記操作ボタンで入力された指令に応じて前記第一処理モジュールを制御するように構成されていることを特徴とする請求項７に記載の赤外監視カメラ。
【請求項１０】
前記赤外監視カメラは、太陽光給電モジュール及び外部電源給電モジュールの少なくともいずれか一方をさらに備え、前記太陽光給電モジュールは太陽光により前記カメラ本体に給電し、前記外部電源給電モジュールは外部電源との接続によりカメラ本体に給電することを特徴とする請求項１〜６のいずれか１項に記載の赤外監視カメラ。
【考案の詳細な説明】
【技術分野】
【０００１】
本考案はカメラ技術分野に関し、具体的には赤外監視カメラに関する。
【背景技術】
【０００２】
赤外監視カメラは、屋外監視及び狩猟監視などに幅広く応用されている。
【考案の概要】
【考案が解決しようとする課題】
【０００３】
赤外監視カメラは、使用する際に、通常独立した取付ブラケットを使用し、木の幹または木の枝のような選択された位置に固定させる。そのため、赤外監視カメラの取付は不便である。
【課題を解決するための手段】
【０００４】
本考案の一実施形態に係る赤外監視カメラは、カメラ本体を備え、前記カメラ本体は、第一感知モジュール、撮影モジュール及び第一処理モジュールを備え、前記第一感知モジュールは、監視エリア内の赤外線放射を検知するために用いられ、赤外線放射に誘導されて第一トリガ信号を生成し、前記撮影モジュールは、前記監視エリア内の画像を取り込むために用いられ、前記第一処理モジュールは、前記第一感知モジュール及び前記撮影モジュールと接続され、前記第一トリガ信号を取得するように、及び、前記撮影モジュールを制御して前記第一トリガ信号に応じて画像が取り込まれるように構成されており、一端が尖り、他端が前記カメラ本体と固定接続された細長挿入部をさらに備えている。
【０００５】
本考案で提供される赤外監視カメラによると、細長挿入部を取付対象物に挿入することにより、カメラ本体を木の幹または木の枝のような取付対象物に固定させることができる。したがって、取付が便利となるだけでなく、細長挿入部が取付対象物に固定され且つ取付対象物によって遮蔽されることによって、良好な隠蔽性を有する。
【０００６】
以下、図面とともに、本考案による赤外監視カメラの実施形態について詳細に説明する。
【図面の簡単な説明】
【０００７】
【図１】本考案の実施形態１に係る外部構造の模式図である。
【図２】本考案の実施形態１に係る機能モジュールの模式図である。
【図３】本考案の実施形態２に係る外部構造の模式図である。
【図４】本考案の実施形態２に係る機能モジュールの模式図である。
【図５】本考案の実施形態３に係る機能モジュールの模式図である。
【図６】本考案の実施形態４に係る外部構造の模式図である。
【図７】本考案の実施形態４に係る機能モジュールの模式図である。
【図８】本考案の実施形態４に係る赤外監視カメラが木に取り付けられた様子を示す模式図である。
【図９】本考案の実施形態５に係るリモコンの機能モジュールの模式図である。
【図１０】本考案の実施形態５に係るリモコン(携帯電話)及びカメラ本体の通信模式図である。
【図１１】本考案の実施形態６に係るサテライトセンサの機能モジュールの模式図である。
【図１２】本考案の実施形態６に係るサテライトセンサ及びカメラ本体の通信模式図である。
【考案を実施するための形態】
【０００８】
実施形態１
本考案による赤外監視カメラの一つの実施形態は、図１と図２に示すように、第一感知モジュール１０１、撮影モジュール１０２、照明モジュール１０３、第一処理モジュール１０４、細長挿入部１０５及び偽装ハウジング１０６を備える。また、通常カメラの一般的配置により、さらにカメラの各モジュールに給電するための電源モジュール１１及び撮影データを保存するための記憶モジュール１２を備える。この２つの通常モジュールは着脱可能な部品として単独に製造及び販売することができる。本文に部品のために「第一」、「第二」などのようにつけた番号は説明する対象を区別するためだけであり、いかなる順序や技術的意味を有さない。
【０００９】
第一感知モジュール１０１は監視エリア内の赤外線放射を検知するために用いられ、赤外線放射に誘導されて第一トリガ信号を生成する。第一感知モジュールは通常フレネルレンズ１０１１及び赤外線センサ（図示せず）を備えることが可能であり、使用される赤外線センサはたとえば受動赤外検出（Passive infrared，PIR）器であってもよい。容易に理解できるように、用いるセンサにより、生成する第一トリガ信号はデジタル信号であってもアナログ信号であってもよく、直接に第一処理モジュール１０４の適切なインターフェースまで転送してもよいし、通常のソフトウェア／ハードウェアにより処理した後で第一処理モジュール１０４の適切なインターフェースまで転送してもよい。この処理としては、たとえば、A／D変換、増幅、整形、フィルタリングなどがあげられる。
【００１０】
撮影モジュール１０２は監視エリア内の画像を取り込むように構成されている。撮影モジュールは、通常、レンズ１０２１及び感光チップ（図示せず）を含む。良好な撮影効果を得るため、撮影モジュールが撮影する範囲と第一感知モジュールが監視するエリアとがほぼ一致するようにでき、たとえば、撮影モジュールのレンズの視野角と第一感知モジュールのフレネルレンズの感知範囲の境界とをほぼ一致させることができる。必要とされる画像のタイプにより、感光チップのスペクトル感知範囲として可視光及び赤外線のいずれか一方、または両方を選択可能である。
【００１１】
照明モジュール１０３は赤外ＬＥＤライト、ガスフラッシュライト、又は、赤外ＬＥＤライトとガスフラッシュライトとの組み合わせであってもよい。撮影モジュール１０２の感光チップのスペクトル感知範囲に応じて照明モジュールのタイプを選択してもよく、例えばもし感光範囲が可視光であるなら照明モジュールとしてガスフラッシュライトを選択してもよい。本実施形態において、照明モジュールは、フレネルレンズ１０１１及びレンズ１０２１の周辺に分布して照明を提供する複数の赤外ＬＥＤライトを備えている。本実施形態においては、暗所または夜間においてより良好な撮影効果を得るために照明モジュールが採用されているが、別の実施形態では、照明モジュールを省略してもよい。
【００１２】
第一処理モジュール１０４は、第一感知モジュール１０１、撮影モジュール１０２及び照明モジュール１０３と接続されている。第一処理モジュール１０４は、第一トリガ信号を取得するように、及び、撮影モジュールを制御して第一トリガ信号に応じて画像が取り込まれるように構成されている。また、第一処理モジュール１０４は、撮影モジュール１０２が動作する際に照明モジュール１０３を制御して発光させるようにも構成されている。第一処理モジュールは、カメラの制御機能を実現するロジックデバイスとして用いられるものであり、指令を実行することにより接続された各部品を制御する。第一処理モジュールは、具体的にはマクロプロセッサ、フィールドプログラマブルゲートアレイ（ＦＰＧＡ）、中央処理装置（ＣＰＵ）などであってよい。第一処理モジュール１０４が実行した指令は自身のキャッシュに保存されてよく、記憶モジュール１２のような処理モジュール以外の記憶装置に保存してもよい。もちろん、照明モジュールが含まれない別の実施形態では、第一処理モジュールは照明モジュールを制御する必要がない。
【００１３】
細長挿入部１０５の一端は尖り、他端はカメラ本体と固定接続される。細長挿入部を取付対象物に挿入することにより、カメラ本体を取付対象物に固定させることができる。本実施形態において、細長挿入部の表面がネジ山１０５１を有している。例えばスクリューを細長挿入部として使用し、細長挿入部を木の幹、木の枝、地面などのような取付対象物に挿入することができるので、取付はいっそう容易になる。別の実施形態として、細長挿入部の表面はほかの挿入しやすい外形を使用してもよく、例えば細長挿入部の表面に長さ方向に沿った尖ったリブを有していてもよい。細長挿入部がカメラ本体と接続されている側は、様々な実施可能な固定方式を採用することができる。例えば溶接、プラグ、一体成型、ボルト接続などである。
【００１４】
より優れた隠蔽効果を達成するため、本実施形態では、カメラ本体は、生物体または生物体の部分を模倣する外形を有する偽装ハウジング１０６を備えている。本実施形態では、例として木の枝の外形を採用し、その表面が樹皮と木の葉で偽装されている。また、撮影モジュール１０２のレンズ１０２１と第一感知モジュール１０１のレンズ（フレネルレンズ１０１１）とが偽装ハウジング１０６の表面に嵌め込まれている。細長挿入部１０５は偽装ハウジングに固定接続可能である。現在常用されている赤外監視カメラのほとんどは一般的形状であり、表面が迷彩色で偽装されたものもあるが、その形状は依然として認識されやすい。本実施形態による偽装ハウジングを使用することにより強い隠蔽性が得られる。もちろん、別の実施形態ではカメラが偽装ハウジングを有さない通常の形状であってもよい。
【００１５】
本考案による赤外監視カメラの電源モジュールは、電池及び／またはほかの給電モジュールと接続するインターフェースを備えることができる。例えば、本カメラはさらに太陽光給電モジュール及び／または外部電源給電モジュールを備えてもよい。太陽光給電モジュールは太陽光によりカメラ本体に給電し、外部電源給電モジュールは外部電源との接続によりカメラ本体に給電する。ここで、「給電」は、負荷モジュールへの直接給電、及び、電源モジュールの電池を充電することを含む。
【００１６】
実施形態２
本考案による赤外監視カメラのもう一つの実施形態として、図３と図４（説明を平易とするため、以下の各実施形態では実施形態１と類似機能を有する部品に対し、実施形態１と同じ符号を使用する）に示すように、実施形態１との区別として、カメラ本体はさらにマイク１０７及びスピーカー１０８を備え、これらはそれぞれ第一処理モジュール１０４と接続されている。これにより、第一処理モジュールは、撮影モジュール１０２が動作する際にマイクを制御して録音が行われるように、及び、スピーカーを制御してオーディオが再生されるように、さらに構成されている。偽装ハウジング１０６が採用されている場合には、ハウジングの表面にマイクポート１０７１及びスピーカーポート１０８１を設けておく必要があり、これにより音声の録音及び再生する効果が保証できる。本実施形態による赤外監視カメラのひとつの用途としては、森の中で動物の発する音を再生することにより異性動物を誘引する（game call）ことであり、これによってカメラの補助機能が豊かになる。
【００１７】
実施形態３
本考案による赤外監視カメラのもう一つの実施形態を、図５に示す。本実施形態と上述した実施形態との相違点は、カメラ本体がディスプレイ１０９及び操作ボタン１１０をさらに備え（図５は実施形態１に対する変形例であるが、本実施形態は実施形態２と組み合わせてもよい）ていることである。ディスプレイ１０９及び操作ボタン１１０はそれぞれ第一処理モジュール１０４と接続されている。ディスプレイ１０９は制御インターフェースを表示するために用いられ、操作ボタン１１０はユーザーの操作及び制御のためのコマンド入力に使用される。隠蔽性を補強するため、ディスプレイ及び操作ボタンはカメラ本体内に位置し、外に現れない。そして、偽装ハウジングのようなカメラ本体のカバーを開けて閲覧及び操作することができる。ディスプレイはタッチパネルであってもよく、この場合、操作ボタンはタッチパネルによる表示されたソフトウェアボタンであってよい。
【００１８】
実施形態４
本考案による赤外監視カメラのもう一つの実施形態を、図６及び図７に示す。ように、上述した実施形態と比較した、これら実施形態と本実施形態の相違点は、カメラ本体が第一通信モジュール１１１及びアンテナ１１２（図６及び図７は実施形態１に対する変形例であり、本実施形態は上述したその他の実施形態と組み合わせてもよい）をさらに備えていることである。アンテナ１１２は、第一処理モジュール１０４と接続された第一通信モジュール１１１と接続されている。したがって、第一処理モジュールは、第一通信モジュールを制御することによって、第一通信モジュールがアンテナを介して外部装置と無線通信を行うように構成されている。例えば、第一処理モジュールは、撮影モジュールが取り込んだ写真や動画を第一通信モジュールにより遠隔記憶のための外部記憶装置へ送信するように構成されている。
【００１９】
第一通信モジュールは様々な実施可能な無線通信方式を採用してもよく、赤外線通信、２Ｇ／ＧＰＲＳ／３Ｇ／４Ｇ、ＷｉＦｉ、Ｂｌｕｅｔｏｏｔｈ、２．４Ｇ、ＷｉＭａｘなどを含むが、これらに限らない。隠蔽性を高めるため、アンテナが細い枝などの形状を模倣してもよい。図８に示すように、無線通信機能を持つ本実施形態の赤外監視カメラを木に固定させることにより、手軽に無線ネットワークを通じて通信を行うことができるだけでなく、良好な隠蔽性をも有する。
【００２０】
実施形態５
本考案による赤外監視カメラのもう一つの実施形態を、図９及び図１０に示す。実施形態４との比較において、本実施形態は、リモコン２００をさらに備えている。リモコン２００は、ディスプレイ２０１、操作ボタン２０２、第三通信モジュール２０３及び第三処理モジュール２０４を含む。ディスプレイは制御インターフェースを表示するためのものであり、操作ボタンはコマンドを入力するために使用される。第三処理モジュールは、ディスプレイ、操作ボタン及び第三通信モジュールと接続され、ディスプレイの表示を制御するように、及び、第三通信モジュールと第一通信モジュールとの通信を介して、操作ボタンで入力された指令に応じて第一処理モジュールを制御するように構成されている。
【００２１】
本実施形態においてリモコンは、本考案の赤外監視カメラを制御するための専用の装置であってよい。また、代替的には、リモコンは、別の無線通信機能を持つ電子機器にソフトウェアプラグインをインストールしいたものであってもよい。例えば、オペレーティングシステムを持つスマートフォンに適切なソフトウェアをインストールすることで、スマートフォンを上記リモコンとすることができる。この場合、スマートフォンのスクリーンが上記ディスプレイであり、そのハードウェアボタンまたはタッチスクリーンに表示されたソフトウェアボタンが上記操作ボタンになり、スマートフォンを通じてカメラの操作を行うことで、たとえば設定を修正したり状態を確認したりすることができる。監視エリアで動物が通過するときに、監視カメラがトリガされそして撮影が開始される。第一処理モジュールは取り込んだ写真を第一通信モジュールによりユーザーの携帯電話に送信することができる。
【００２２】
本実施形態のリモコンを採用する場合、カメラ本体に同様にディスプレイ及び操作ボタンを設けてもよく、省略してもよい。
【００２３】
実施形態６
本考案による赤外監視カメラのもう一つの実施形態を、図１１及び図１２に示す。実施形態４または実施形態５との相違点は、少なくとも一つのサテライトセンサ３００をさらに含むことである（図６及び図７は実施形態４に対する変形例であるが、本実施形態は実施形態５と組み合わせてもよい）。サテライトセンサ３００は、第二感知モジュール３０１、第二通信モジュール３０２及び第二処理モジュール３０３を備えている。第二感知モジュールは拡張エリア内の赤外線放射を検知するために用いられ、赤外線放射に誘導されて第二トリガ信号を生成する。第二感知モジュールは第一感知モジュールと類似する構造であってよい。第二処理モジュールは第二感知モジュール及び第二通信モジュールと接続され、第二トリガ信号を取得するために、及び、第二通信モジュールを制御して第二トリガ信号に応じてトリガ情報が送信されるために用いられる。したがって、第一処理モジュールは、第二通信モジュールが送信したトリガ情報を第一通信モジュールで受信するように、及び、このトリガ情報に基づいて撮影モジュールを起動させて画像の取り込みができる状態となるように構成されている。
【００２４】
本実施形態においてはサテライトセンサが監視カメラ本体の周囲に配置されているため、監視カメラの監視範囲を有効に拡大でき、監視カメラの起動速度を向上させることができる。例えば、サテライトセンサは動物が現れるのを感知すると監視カメラ本体にトリガ情報を送信するため、第一処理モジュールがトリガ信号を受信後に前もって撮影モジュールを起動させることができ（それまでは撮影モジュールが休止状態かオフ状態であってもよい）、動物が動き続けて監視カメラ本体に近づき、そして第一感知モジュールにトリガがかけられた後、撮影モジュールが直ちに画像の取り込みを始めることができる。別の実施形態では、第一処理モジュールは、サテライトセンサからのトリガ信号を受信した後、サテライトセンサの識別情報及び時間などの情報を文字形式で記録し、またはショートメール形式（ＳＭＳ）でユーザーに送信してもよく、これによってユーザーには監視領域についてより多くの情報が提供される。
【００２５】
以上具体的な例を用いて本考案の原理及び実施形態について詳述したが、以上の実施形態は単に本考案を理解するために用い、本考案に対していかなる限定にもならないことを理解すべきである。本分野の当業者は、本考案の考えに基づき、上記具体的な実施形態を適宜変更することができる。
【図１】
0003195356.tif 000003
【図２】
0003195356.tif 000004
【図３】
0003195356.tif 000005
【図４】
0003195356.tif 000006
【図５】
0003195356.tif 000007
【図６】
0003195356.tif 000008
【図７】
0003195356.tif 000009
【図８】
0003195356.tif 000010
【図９】
0003195356.tif 000011
【図１０】
0003195356.tif 000012
【図１１】
0003195356.tif 000013
【図１２】
0003195356.tif 000014